【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
被検眼の断層画像を取得する画像取得手段と、
前記被検眼の断層画像から網膜層の３次元の形状データ解析する解析手段と、
前記３次元の形状データの特徴量を取得する特徴量取得手段と、
前記特徴量を表示装置に表示する表示制御手段と
を具備することを特徴とする画像処理システム。
【請求項２】
前記特徴量取得手段は、
前記網膜の所定の層情報に基づいて生成された３次元の形状データから前記特徴量を取得する
ことを特徴とする請求項１記載の画像処理システム。
【請求項３】
網膜層の中から所定の層を選択する選択手段
を更に具備し、
前記解析手段は、
前記選択された層の３次元の形状データを生成する
ことを特徴とする請求項１又は２に記載の画像処理システム。
【請求項４】
前記画像取得手段は、前記被検眼の眼底画像を取得し、
前記表示制御手段は、
前記特徴量を、前記眼底画像上の対応する位置に関連付けて表示する
ことを特徴とする請求項１から３のいずれか１項に記載の画像処理システム。
【請求項５】
前記特徴量を表す２次元マップを作成する手段と、
前記眼底画像に対して前記２次元マップを位置合わせする位置合わせ手段
を更に具備し、
前記表示制御手段は、
前記眼底画像と前記２次元マップとの少なくとも一方を所定の透明度で重ね合わせて前記表示装置に表示する
ことを特徴とする請求項４記載の画像処理システム。
【請求項６】
前記画像取得手段は、
前記眼底画像として、前記断層画像と同じタイミングで撮影された第１の眼底画像と、前記断層画像と異なるタイミングで撮影された第２の眼底画像とを取得し、
前記表示制御手段は、
前記２次元マップを、前記第１の眼底画像及び前記第２の眼底画像上の対応する位置に関連付けて表示装置に表示する
ことを特徴とする請求項４記載の画像処理システム。
【請求項７】
前記第１の眼底画像に対して前記２次元マップを位置合わせするとともに、前記第１の眼底画像と前記第２の断層画像との位置関係に基づいて、前記第２の眼底画像に対して前記２次元マップを位置合わせする位置合わせ手段
を更に具備し、
前記表示制御手段は、
前記第１の眼底画像と、前記第２の眼底画像と、前記２次元マップとをそれぞれ所定の透明度で重ね合わせて前記表示装置に表示する
ことを特徴とする請求項６記載の画像処理システム。
【請求項８】
前記解析手段は、
前記断層画像における網膜層の検出結果に基づいて３次元の形状データを作成する形状データ作成手段と、
前記網膜層の検出結果及び前記形状データ作成手段により作成された前記３次元の形状データを解析する網膜層解析手段と、
を具備し、
前記特徴量取得手段は、
前記網膜層解析手段による解析結果として２次元マップを作成する解析結果作成手段と
を具備することを特徴とする請求項１から７のいずれか１項に記載の画像処理システム。
【請求項９】
前記解析結果作成手段は、
前記２次元マップとして網膜層の等高線マップを作成する
ことを特徴とする請求項８記載の画像処理システム。
【請求項１０】
前記等高線マップは、
前記網膜層と前記網膜層の深さ方向に直交する平面である計測面との交差領域の面積、前記網膜層と前記計測面との間に生じる領域の体積、及び前記網膜層と計測面との間の距離、のいずれかに応じて色分けして作成される
ことを特徴とする請求項９記載の画像処理システム。
【請求項１１】
前記解析結果作成手段は、
前記２次元マップとして網膜層の形状の曲率マップを作成する
ことを特徴とする請求項８記載の画像処理システム。
【請求項１２】
前記曲率マップは、曲率に応じて色が変更されて作成される
ことを特徴とする請求項１１記載の画像処理システム。
【請求項１３】
画像処理システムの処理方法であって、
画像取得手段が、被検眼の断層画像を取得する工程と、
解析手段が、前記被検眼の断層画像から網膜の層の３次元の形状データ解析する工程と、
特徴量取得手段が、前記３次元の形状データの特徴量を取得する工程と、
表示制御手段が、前記特徴量を表示装置に表示する工程と
を含むことを特徴とする処理方法。
【請求項１４】
請求項１から１２のいずれか１項に記載の画像処理システムによる処理をコンピュータに実行させるためのプログラム。
【手続補正２】
【補正対象書類名】明細書
【補正対象項目名】０００９
【補正方法】変更
【補正の内容】
【０００９】
上記課題を解決するため、本発明の一態様による画像処理システムは、被検眼の断層画像を取得する画像取得手段と、前記被検眼の断層画像から網膜層の３次元の形状データ解析する解析手段と、前記３次元の形状データの特徴量を取得する特徴量取得手段と、前記特徴量を表示装置に表示する表示制御手段とを具備する。
【手続補正３】
【補正対象書類名】明細書
【補正対象項目名】００２７
【補正方法】変更
【補正の内容】
【００２７】
画像処理部３３には、検出部４１と、解析部４２と、判定部４３と、位置合わせ部４７とが具備される。
【手続補正４】
【補正対象書類名】明細書
【補正対象項目名】００３０
【補正方法】変更
【補正の内容】
【００３０】
解析部４２は、解析対象となる網膜層の解析を行なう。解析部４２には、判定部４３と、網膜層解析部４４と、解析結果作成部４５と、形状データ作成部４６とが設けられる。
【手続補正５】
【補正対象書類名】明細書
【補正対象項目名】００３２
【補正方法】変更
【補正の内容】
【００３２】
網膜層解析部４４は、判定部４３の判定結果に基づいて、解析対象となる網膜層に対して解析処理を行なう。なお、本実施形態においては、３次元の形状解析処理として、近視眼の黄斑の解析を行なう場合について説明する。解析結果作成部４５では、解析結果（網膜層の状態を示す情報）を提示するための各種データを作成する。形状データ作成部４６では、撮影により得られた複数の断層画像同士を位置合わせし、３次元の形状データを作成する。すなわち、３次元の形状データは、網膜層の層情報に基づいて作成される。
【手続補正６】
【補正対象書類名】明細書
【補正対象項目名】００６４
【補正方法】変更
【補正の内容】
【００６４】
［Ｓ２０４］
画像処理装置３０は、網膜層解析部４４において、網膜層の３次元の形状解析を行なう。ここでは、形状解析の方法として、網膜層の面積と体積とを計測する手法について例を挙げて説明する。
【手続補正７】
【補正対象書類名】明細書
【補正対象項目名】０１２３
【補正方法】変更
【補正の内容】
【０１２３】
［Ｓ２０７］
画像処理装置３０は、網膜層解析部４４において、網膜層の検出結果に基づいて形状解析を行なう。この解析処理では、３次元の形状データ等を作成せずに、網膜層の検出結果を用いた解析が行なわれる。例えば、層厚の解析等が行なわれる。
【手続補正８】
【補正対象書類名】明細書
【補正対象項目名】０１３６
【補正方法】変更
【補正の内容】
【０１３６】
次に、操作者が、入力装置５４を介して、図１３で説明した断層画像観察画面４００を操作した場合について説明する。
【手続補正９】
【補正対象書類名】図面
【補正対象項目名】図１
【補正方法】変更
【補正の内容】
【図１】
2013153881.tif 000001
【手続補正１０】
【補正対象書類名】図面
【補正対象項目名】図９
【補正方法】変更
【補正の内容】
【図９】
2013153881.tif 000002
【手続補正１１】
【補正対象書類名】図面
【補正対象項目名】図１０
【補正方法】変更
【補正の内容】
【図１０】
2013153881.tif 000003